(57)【要約】【課題】  多彩なイルミネーション手段を有するイルミネーション付きスピーカを提供する。【解決手段】  磁気回路６上方のボイスコイルボビン８内部に円柱状のレンズ２を配置するとともに、レンズ２の上方に第一の発光体１３を、レンズ２の下部内に第二の発光体１４を配置し、レンズ８の上部には第一の発光体１３の、光の進行方向に反射面Ａを、またレンズ８の下部内周面には第二の発光体１４の、光の進行方向に反射面Ｂを、それぞれ形成し、前記各発光体１３，１４を点灯させる点灯回路に、スピーカの入力信号の一部を分流させ、少なくとも一方の発光体の輝度を、入力信号に同期させて変化させるよう構成する。【選択図】      図１
2006148503.tif 000002
【特許請求の範囲】
【請求項１】
磁気回路上のボイスコイルボビン内部に柱状のレンズを配置するとともに、
前記レンズの上方に第一の発光体を、レンズ内下部に第二の発光体をそれぞれ配置し、
前記レンズ上部には前記第一の発光体の光を屈折させる第一の反射面を、レンズ下部内周面には前記第二の発光体の光を屈折させる第二の反射面をそれぞれ形成し、
前記各発光体を点灯させる点灯回路に、スピーカの入力信号の一部を分流させ、少なくとも一方の発光体の輝度を、入力信号に同期して変化させるよう構成したこと
を特徴とするイルミネーション付きスピーカ。
【請求項２】
前記レンズは、
透明な樹脂もしくはガラス製であること
を特徴とする請求項１に記載のイルミネーション付きスピーカ。
【請求項３】
前記レンズは、
中心部に貫通孔を有し、下端部が磁気回路を構成する下部プレートのセンターポール上面に固着され、先端部を前記ボイスコイルイボビンの上端部より突出させるとともに、突出した先端部に、前記第一の発光体を装着するための拡径の装着部が一体的に形成されたものであること
を特徴とする請求項１又は２に記載のイルミネーション付きスピーカ。
【請求項４】
前記各反射面は、
相対する発光体に対して凹状に湾曲していること
を特徴とする請求項１〜３のいずれかに記載のイルミネーション付きスピーカ。
【請求項５】
前記各反射面は、
中心部の貫通孔から外周部に向かって放射線状に延びる凹部と凸部によって所定の間隔で区分され、かつ、各反射面の凹部と凸部の位置が上下方向で互いに重ならないように配置されていること
を特徴とする請求項４に記載のイルミネーション付きスピーカ。
【請求項６】
前記凸部は、
外周部から中心部に向かって下り階段状に形成されていること
を特徴とする請求項５に記載のイルミネーション付きスピーカ。
【請求項７】
前記レンズは、
前記先端部又は第一の発光体の装着部にキャップが搭載されていること
を特徴とする請求項１〜６のいずれかに記載のイルミネーション付きスピーカ。
【請求項８】
前記キャップは、
透明素材で構成され、その内側が、中心部から放射状に延びる複数の凸部によって所定間隔に区分されていること
を特徴とする請求項７に記載のイルミネーション付きスピーカ。
【請求項９】
前記各発光体は、
発光ダイオードと、この発光ダイオードを装着する基板と、この基板に取付けられるリード線とから構成されること
を特徴とする請求項１に記載のイルミネーション付きスピーカ。
【請求項１０】
前記各発光体は、
前記第一の発光体はスピーカの入力信号に同期し、第二の発光体は入力信号待機状態において、それぞれ発光するよう構成されていること
を特徴とする請求項１又は９に記載のイルミネーション付きスピーカ。
【請求項１１】
前記第一の発光体は、
複数の発光ダイオードが円周上に配置されていること
を特徴とする請求項９又は１０に記載のイルミネーション付きスピーカ。
【請求項１２】
前記複数の発光ダイオードは、
少なくとも２色以上で構成されていること
を特徴とする請求項１１に記載のイルミネーション付きスピーカ。
【請求項１３】
前記第二の発光体は、
入力信号待機状態時に無信号を検出してスタンバイが解除され、無段階に色が変化するＲ，Ｇ，Ｂの合成が可能な自動点滅するＩＣ内蔵タイプであること
を特徴とする請求項１２に記載のイルミネーション付きスピーカ。
【請求項１４】
前記各発光体は、
スピーカの駆動時に入カレベルに同期して輝度が変化するとともに、その点灯回路に設けられた基準発信回路によって、無段階に輝度が変化するよう構成されていること
を特徴とする請求項９又は１０に記載のイルミネーション付きスピーカ。
【請求項１５】
前記基準発信回路は、
絶えず光をＯＮ／ＯＦＦさせるストロボ機能を有すること
を特徴とする請求項１４に記載のイルミネーション付きスピーカ。
【請求項１６】
前記第一の発光体は、
そのリード線が前記レンズの貫通孔を介して、前記第二の発光体を構成するリード線に接続され、前記第二の発光体を構成するリード線の先端部は、前記磁気回路の中心部に形成された貫通孔を介して点灯回路に結合されていること
を特徴とする請求項９に記載のイルミネーション付きスピーカ。
【発明の詳細な説明】
【技術分野】
【０００１】
この発明は、各種の音響機器に使用されるスピーカに関するもので、特に、入力信号の強弱に応じて光量を変化させることのできるイルミネーション付きスピーカに関するものである。
【背景技術】
【０００２】
イルミネーション機能を持たせ、音楽を聴く楽しみを耳からのみではなく、目からも得られるようにしたスピーカが、車両のオーディオ機器やゲーム機、パチンコ装置等にも使用されるようになっている。
【０００３】
具体的には、たとえば、特開平１１−１６４３７８号公報（特許文献１）においては、スピーカ本体に配設された少なくとも1つの発光素子と、スピーカ用ボイスコイルと磁気回路を構成する前記発光素子を駆動するための発光素子駆動用ボイスコイルと、を有し、前記スピーカ用ボイスコイルに入力するオーディオ信号に応じて、前記発光素子駆動用ボイスコイルに誘起される起電力を前記発光素子の駆動電力とし、オーディオ入力信号の強度に応じて光量を変化させ点灯・点滅発光する電源配線の要らないイルミネーション付きの動電型スピーカ装置が提案されている。
【０００４】
また、特開２０００−２１７１８５号公報（特許文献２）では、コーン型振動板、同コーン型振動板を、エッジを介して支持するフレーム、同コーン型振動板基部のセンターホール周縁に取着されたボイスコイル、前記フレームに対して同ボイスコイルを進退可能に支持するダンパー、同ボイスコイルを取り囲む磁石、同磁石及び前記フレームが固定されるベースとを有するコーン型スピーカユニットにおいて、前記ボイスコイルに対して並列にＬＥＤ回路を接続し、同ＬＥＤ回路のＬＥＤ（発光ダイオード）を前記コーン型振動板のセンターホールを通して目視できるよう前記ベース上の同ボイスコイルに包囲された領域内に設置し、音量変化に伴って発光する発光手段を設けたスピーカユニットが提案されている。
【０００５】
さらに、特開２００１−２３８２８２号公報（特許文献３）では、スピーカのイルミネーション効果の多様性と高度化を可能とするイルミネーション付きスピーカとして、ベントホールを有するヨークと、振動板上に配置される透光性を有するセンターキャップと、上記センターキャップ側に空間を有し、上記センターキャップの底部に側面端部で固定される筒状体と、上記空間に配置される光源と、上記筒状体に固定されると共に、上記筒状体から上記ヨークの方向であって上記ヨークの外側または内側に延出させたボビンと、上記ボビンに巻かれると共に、マグネットからの磁束の中で上記振動板の動きに従動して、上記光源に電流を流すための誘導起電力を発生させる誘導コイルと、を備えることものが提案されている。
【特許文献１】特開平１１−１６４３７８号公報（特許請求の範囲）
【特許文献２】特開２０００−２１７１８５号公報（特許請求の範囲、図２）
【特許文献３】特開２００１−２３８２８２号公報（特許請求の範囲、図１）
【発明の開示】
【発明が解決しようとする課題】
【０００６】
これら従来のスピーカに付加されたイルミネーションは、音声電流の振幅が大きければＬＥＤも高光度で発光し、逆に音声電流の振幅が小さければＬＥＤは低光度で発光するという音量の変化に伴って発光の強弱のみが発生するもので、特許文献２に記載の発明においては、発明の詳細な説明中の段落番号００１３で明らかなように、極めて小電流の場合には発光せず、イルミネーション効果は何も得られない。また、当然ながら、音声待機状態で無音の場合も、イルミネーション効果は何も得られない。
【０００７】
このように、前記各特許文献に記載のスピーカは、いずれも音量の変化に伴ってのみ発光するものにすぎず、音量変化の少ない場合は、視覚的には単純なイルミネーションとなり、たとえば、ゲーム機やパチンコ装置等の様に常時視覚的に華やかで刺激的アピールがあることが求められる場合でのイルミネーションスピーカとしては、イルミネーションの変化のバリエーションに欠けるという問題がある。
【０００８】
この発明かかる問題点に鑑みてなされたもので、多彩なイルミネーション手段を有するイルミネーション付きスピーカを提供することを目的としたものである。
【課題を解決するための手段】
【０００９】
前記目的を達成するため、この発明の請求項１記載の発明は、
磁気回路上のボイスコイルボビン内部に柱状のレンズを配置するとともに、
前記レンズの上方に第一の発光体を、レンズ内下部に第二の発光体をそれぞれ配置し、
前記レンズ上部には前記第一の発光体の光を屈折させる第一の反射面を、レンズ下部内周面には前記第二の発光体の光を屈折させる第二の反射面をそれぞれ形成し、
前記各発光体を点灯させる点灯回路に、スピーカの入力信号の一部を分流させ、少なくとも一方の発光体の輝度を、入力信号に同期して変化させるよう構成したこと
を特徴とするイルミネーション付きスピーカである。
【００１０】
また、この発明の請求項２に記載の発明は、
請求項1に記載のイルミネーション付きスピーカにおいて、
前記レンズは、
透明な樹脂もしくはガラス製であること
を特徴とするものである。
【００１１】
また、この発明の請求項３に記載の発明は、
請求項１又は２に記載のイルミネーション付きスピーカにおいて、
前記レンズは、
中心部に貫通孔を有し、下端部が磁気回路を構成する下部プレートのセンターポール上面に固着され、先端部を前記ボイスコイルイボビンの上端部より突出させるとともに、突出した先端部に、前記第一の発光体を装着するための拡径の装着部が一体的に形成されたものであること
を特徴とするものである。
【００１２】
また、この発明の請求項４に記載の発明は、
請求項１〜３のいずれかに記載のイルミネーション付きスピーカにおいて、
前記各反射面は、
相対する発光体に対して凹状に湾曲していること
を特徴とするものである。
【００１３】
また、この発明の請求項５に記載の発明は、
請求項４に記載のイルミネーション付きスピーカにおいて、
前記各反射面は、
中心部の貫通孔から外周部に向かって放射線状に延びる凹部と凸部によって、所定の間隔で区分され、かつ、各反射面の凹部と凸部の位置が上下方向で互いに重ならないように配置されていること
を特徴とするものである。
【００１４】
また、この発明の請求項６に記載の発明は、
請求項５に記載のイルミネーション付きスピーカにおいて、
前記凸部は、
外周部から中心部に向かって下り階段状に形成されていること
を特徴とするものである。
【００１５】
また、この発明の請求項７に記載の発明は、
請求項１〜６のいずれかに記載のイルミネーション付きスピーカにおいて、
前記レンズは、
前記先端部又は第一の発光体の装着部にキャップが搭載されていること
を特徴とするものである。
【００１６】
また、この発明の請求項８に記載の発明は、
請求項７に記載のイルミネーション付きスピーカにおいて、
前記キャップは、
透明素材で構成され、その内側が、中心部から放射状に延びる複数の凸部によって所定間隔に区分されていること
を特徴とするものである。
【００１７】
また、この発明の請求項９に記載の発明は、
請求項１に記載のイルミネーション付きスピーカにおいて、
前記各発光体は、
発光ダイオードと、この発光ダイオードを装着する基板と、この基板に取付けられるリード線とから構成されること
を特徴とするものである。
【００１８】
また、この発明の請求項１０に記載の発明は、
請求項１又は９に記載のイルミネーション付きスピーカにおいて、
前記各発光体は、
前記第一の発光体はスピーカの入力信号に同期し、第二の発光体は入力信号待機状態において、それぞれ発光するよう構成されていること
を特徴とするものである。
【００１９】
また、この発明の請求項１１に記載の発明は、
請求項９又は１０に記載のイルミネーション付きスピーカにおいて、
前記第一の発光体は、
複数の発光ダイオードが円周上に配置されていること
を特徴とするものである。
【００２０】
また、この発明の請求項１２に記載の発明は、
請求項１１に記載のイルミネーション付きスピーカにおいて、
前記複数の発光ダイオードは、
少なくとも２色以上で構成されていること
を特徴とするものである。
【００２１】
また、この発明の請求項１３に記載の発明は、
請求項１２に記載のイルミネーション付きスピーカにおいて、
前記第二の発光体は、
入力信号待機状態時に無信号を検出してスタンバイが解除され、無段階に色が変化するＲ，Ｇ，Ｂの合成が可能な自動点滅するＩＣ内蔵タイプであること
を特徴とするものである。
【００２２】
また、この発明の請求項１４に記載の発明は、
請求項１又は９に記載のイルミネーション付きスピーカにおいて、
前記各発光体は、
スピーカの駆動時に入カレベルに同期して輝度が変化するとともに、その点灯回路に設けられた基準発信回路によって、無段階に輝度が変化するよう構成されていること
を特徴とするものである。
【００２３】
また、この発明の請求項１５に記載の発明は、
請求項１４に記載のイルミネーション付きスピーカにおいて、
前記基準発信回路は、
絶えず光をＯＮ／ＯＦＦさせるストロボ機能を有すること
を特徴とするものである。
【００２４】
また、この発明の請求項１６に記載の発明は、
請求項９に記載のイルミネーション付きスピーカにおいて、
前記第一の発光体は、
そのリード線が前記レンズの貫通孔を介して、前記第二の発光体を構成するリード線に接続され、前記第二の発光体を構成するリード線の先端部は、前記磁気回路の中心部に形成された貫通孔を介して点灯回路に結合されていること
を特徴とするものである。
【発明の効果】
【００２５】
この発明のイルミネーション付きスピーカは、磁気回路上部のボイスコイルボビンの内部に柱状のレンズを配置するとともに、このレンズの上方に第一の発光体を、レンズ下部内に第二の発光体をそれぞれ配置し、各発光体の発する光を、透過又は反射、もしくは屈折（以下、これら作用をまとめて「反射等」という。）させる効果のある反射面をそれぞれレンズに対応して形成し、前記各発光体を点灯させる点灯回路にスピーカの入力信号の一部を分流させ、少なくとも一方の発光体の輝度を、入力信号に同期して変化させるよう構成されているので、各発光体から照射される光は、相対する反射面で多重に反射等を繰り返して振動板上に照射されるので、多彩なイルミネーション効果が生ずる。
【００２６】
特に、この発明においては、柱状のレンズを透明な樹脂もしくはガラスで形成し、各発光体の光の進行方向に、光を反射等させる効果のある反射面を形成しているので、各発光体から照射させる光が振動板上に照射され、多彩なイルミネーション効果が得られる。
【００２７】
また、発光体のいずれか一方を、スピーカの駆動時に入カレベルに同期して輝度が変化するとともに、その点灯回路に設けられた基準発信回路によって、無段階に輝度が変化するよう構成し、他方の発光体を、入力信号待機状態時に無信号を検出してスタンバイが解除され、無段階に色が変化するＲ，Ｇ，Ｂの合成が可能な自動点滅するＩＣ内蔵タイプとすることによって、さらに多彩なイルミネーション効果が得られる。
【００２８】
さらに、発光体の点灯回路に、単音やスイープ音など変化の少ない入力信号でも、基準発信回路で絶えず光をＯＮ／ＯＦＦさせるストロボ機能を付設することによって、高速間欠発光となり、振動する振動板での反射光を立体的に見せることもでき、特にゲーム機などの効果音再生時には変化に富む多彩なイルミネーション効果を提供する。
【００２９】
さらにまた、各発光体から照射される光は、レンズレンズ全体から出射されるので、反射面の反射等を複雑にする形状とすることによって、レンズの反射面でのプリズム効果により、さらに光は様々な方向に屈折し、振動板上では穏やかな間接光となり、複雑な虹色の発光を可能としている。
【発明を実施するための最良の形態】
【００３０】
以下、この発明にかかるイルミネーション付きスピーカの一実施の形態を、添付の図面に基づき具体的に説明する。
なお、この発明は、後述する実施の形態にのみ限定されるものではなく、磁気回路の上部のボイスコイルボビン内に円柱状のレンズを配置するとともに、このレンズの上方および下部内にそれぞれ発光体を設け、各発光体の光の進行方向に、光を反射等させる反射面をそれぞれ形成し、前記各発光体を点灯させる点灯回路に、スピーカの入力信号の一部を分流させ、少なくとも一方の発光体の輝度を、入力信号に同期して変化させるよう構成するという要旨を変更しない範囲内において、種々変更を加えることができるものである。
【００３１】
図１は、この発明にかかるイルミネーション付きスピーカの一例を示すスピーカの構成と光の拡散状態を示す概略断面図で、イルミネーション付きスピーカ１を構成するスピーカ本体は、センターポール２を有する下部プレート３、リング状のマグネット４、リング状の上部プレート５からなる磁気回路６と、この上部プレート５に固着されるフレーム７と、ボイスコイルを捲回したボイスコイルボビン８と、前記ボイスコイルを磁気ギャップ内に保持するダンパー９と、中心部が前記ボイスコイルボビン８の上部外周部に、外周部がフレーム７の開口部内周部に固着される振動板１０とから構成されたものである。
【００３２】
かかる構成のスピーカ本体において、この発明では、前記磁気回路６の上方のボイスコイルボビン８内に、一つのレンズ１２と二つの発光体１３，１４からなる照明部１１を装着したものである。
【００３３】
前記照明部１１を構成するレンズ１２は、図３で明らかなように、外径が前記ボイスコイルボビン８の内径よりも小さく、先端部がボイスコイルボビン８の先端部より突出する高さを有する、透明度の高い樹脂もしくはガラス製の円柱体からなるもので、先端部には段部を介して拡径の装着部１２ａが一体的に形成されるとともに、中心部には上面から下面に貫通する貫通孔１２ｂが形成されている。
また、その上部には、後述する第一の発光体１３と相対させて、第一の発光体１３から照射される光を反射させるための凹状に湾曲する反射面Ａが、下部には、第二の発光体１４を装着し、かつ第二の発光体１４から照射される光を反射させるための凹状に湾曲する反射面Ｂを有する空洞部１５が形成されたものである。
【００３４】
この光を反射等させる反射面ＡおよびＢは、各発光体１３，１４の光の進行方向に、それぞれ凹状に湾曲させることで、発光体１３，１４からの光を振動板１０の上に広く均一に拡散させることができるものである。
【００３５】
また、この反射面ＡとＢには、図２および図４、特に図５、図６で明らかなように、中心の貫通孔１２ｂの周縁から外周部に向けてそれぞれ放射状に２０度の間隔で突条1６，１７が形成され、各突条１６，１６，１７，１７間にそれぞれ凹溝を形成するとともに、各突条１６，１７には、それぞれ外周部から貫通孔１２ｂに向かって順次下り方向に階段１６ａ，１７ａを形成したものである。
したがって、各発光体１３，１４から照射された光は、反射面ＡおよびＢに形成された階段１６ａ，１７ａによって順次反射され外側に拡がりながら振動板１０上に達するものである。
【００３６】
なお、レンズ１２の上部および下部内周部にそれぞれ反射面Ａ，Ｂを形成し、前記のように各反射面ＡおよびＢに、それぞれ突条１６，１７を形成する場合には、上下方向において相対する反射面ＡおよびＢに形成された各突条１６と１７とが、上下方向において重なることがないよう、その位置をずらして配置することによって、各発光体１３，１４から照射される光を、複雑に反射等させながら進行させ、複雑な色彩の発光を可能とすることができる。
【００３７】
さらに、反射面Ａ及び／又はＢを透過した光は、隣接する突条16または17の側面方向である横方向にも広がり、光が回転方向にも反射等を繰り返すこととなり、隣接する突条16または17の隙間を輝かせることとなる。なお、前記突条１６，１７を、この実施例においては階段状としているが、光を効率的に拡散させることができる形状であれば、これに限ることなく、適宜選択されるものである。
【００３８】
かかるレンズ１２に配置される発光体１３，１４としては、いずれも電力消費量や小型化が可能で発熱がないなどの理由によって、発光ダイオード（ＬＥＤ）を使用するものであるが、レンズ１２の上方に配置される発光体１３は、図９に示すように、前記装着部１２ａの内側に形成されたステップＳ上に載置可能な大きさの透明な基板２０と、この基板２０の裏面に設けられる発光ダイオード２１と、前記基板２０に取付けられるリード線２２とから構成されている。
また、前記レンズ１２の空洞部１５内に配置される発光体１４は、基板３０と、この基板３０の上面に設けられる発光ダイオード３１および前記基板２０に取付けられるリード線３２とから構成されている。
【００３９】
これら発光体１３，１４のレンズ１２への装着は、まず、発光体１３を構成する基板２０に取付けた発光ダイオード２１にリード線２２を接続したのち、リード線２２の先端部を、レンズ１２の上部より中心部に設けられた貫通孔１２ｂに挿通させる。
一方、発光体１４を構成する発光ダイオード３１を取付けた基板３０にリード線３２を接続させたのち、発光ダイオード３１を空洞部１５内に挿入し、ついで基板３０にあらかじめ設けられた接続端子３３，３３に、それぞれ前記リード線２２，２２の先端部を接続するものである。
【００４０】
かくして発光体１３，１４が所定の位置に装着されたレンズ１２は、図１０に示すように、スピーカ本体を構成するボイスコイルボビン８の上方から、まず、リード線３２をボイスコイルボビン８内に挿入し、その先端部を磁気回路６のセンターポール２の中央部に形成された貫通孔１８を介して外部に引き出しながら、レンズ１２をボイスコイルボビン８内に挿入し、レンズ１２の下端部をセンターポール２の上面に接着固定したのち、レシズ１２の装着部１２ａにキャップ１９を装着してイルミネーション付きスピーカ１を構成するものである。
なお、前記磁気回路６外に引き出されたリード線２２，３２は、点灯回路に接続されている。
【００４１】
また、ボイスコイルボビン８の先端部から突出したレンズ１２の装着部１２ａには、キャップ１９が装着される。
このキャップ１９は透明な樹脂からなるもので、その内側には、図７および図８で明らかなように、中心部から外周部に向かって放射線状に凸部１９ａが定間隔で形成することによって、キャップ１９の内側に漏れる光も、繰り返し反射等させながら振動板１０上に向かわせイルミネーションに寄与させることができる。
【００４２】
なお、前記の実施例においては、第一の発光体１３は、一つの発光ダイオード２１で構成しているが、基板上に複数個を円周上に配置することも可能で、基本的には、一つの場合と同様な方法で組み立てることが可能である。
【００４３】
以下、前記のように構成されたイルミネーション付きスピーカ１の照明方法について、図１１に示す点灯回路に基づいて具体的に説明するに、図中、２２は第一の発光体１３を構成する発光ダイオード、２３は第二の発光体１４を構成するＲ，Ｇ，Ｂ合成が可能なＩＣ内蔵タイプの自動点滅型の発光ダイオードで、スピーカの入力信号の一部が点灯回路４０に分流されている。
したがって、まず、抵抗Ｒ８とコンデンサーＣ３によって直流カットされる。さらに、抵抗Ｒ７によって電流制限された信号が、回路に印加されるようにすることで、スピーカの入力信号の大小に同期して、発光ダイオード２２の輝度を変化させて発光させるよう構成したものである。
【００４４】
また、発光ダイオード２３は、自動点滅するＩＣ内蔵タイプであるＲ，Ｇ，Ｂ合成が可能なＬＥＤを使用し、入力信号待機状態になると、Ｑ４がＯＦＦとなる抵抗Ｒ５，Ｑ５によってＱ６，Ｑ７がＯＦＦ，Ｒ１１，Ｒ１２によってＱ２がＯＮとなり、無信号を検出してスタンバイを解除し、無段階に色が変化するＲ，Ｇ，Ｂの合成された光を出射するように構成されている。
なお、この点灯回路４０においては、発光ダイオード２３は、スピーカの駆動時には、点灯しないようスタンバイの状態に設定されている。
【００４５】
また、点灯回路４０内には、ＣＲとトランジスター２個で構成された基準発信回路（ＣＲ発信回路）を設けているので、オーディオアンプより入力された周波数の信号が、基準発信回路からの基準周波数に近接した場合に相互の干渉により、発光される光にビートが起こり、輝度が無断回に変化することを可能にしている。
【００４６】
さらに、この点灯回路４０においては、前記基準発信回路で発振される周波数とスピーカの入力信号によって、Ｑ３，Ｑ５のＯＮ／ＯＦＦのタイミングが干渉し合って、絶えず光をＯＮ／ＯＦＦさせるストロボ機能が発揮され、点灯時間を間引く回路として働くことから、変化の少ない入力信号の場合でも光を点滅させながら出射することができる。
【００４７】
また、第一の発光体１３として、図１２に示すように複数の発光ダイオード、具体的には発光色の異なる複数のダイオードを使用することによって、さらにイルミネーション効果を増大させることが可能となる。
【００４８】
また、スピーカ本体を構成する振動板１０は、表面に光沢を有するものを使用すると、レンズ１２を通して各発光体１３，１４から照射された光を効果的に反射等させることが可能である。さらに、振動板１０の表面にフォログラムフィルムを貼着すれば、発色効果が増大してイルミネーション効果を非常に大きくすることもできる。
【００４９】
この発明のイルミネーション付きスピーカにおいて、スピーカ本体に装着される照明部１１は、これをスピーカ本体から分離し、振動板に代えて他の反射板を使用し、前記の点灯回路と同様の回路を設ければ、それ自体でディスプレー用のイルミネーションとして使用することも可能である。
【図面の簡単な説明】
【００５０】
【図１】この発明にかかるイルミネーション付きスピーカの一例を示す概略断面図である。
【図２】この発明にかかるイルミネーション付きスピーカを構成するレンズの平面図である。
【図３】図２におけるＸ−Ｘ線に沿った縦断面図である。
【図４】この発明にかかるイルミネーション付きスピーカを構成するレンズの底面図である。
【図５】レンズの前面部を表す斜視図である。
【図６】レンズの背面部を表す斜視図である。
【図７】レンズに装着されるキャップの底面図である。
【図８】図７におけるＹ−Ｙ線に沿った縦断面図である。
【図９】この発明における第一の発光体、第二の発光体の組立て行程を示す説明図である。
【図１０】スピーカ本体に組み込む状態を示す説明図である。
【図１１】イルミネーションを点灯させるための回路の一例を示す点灯回路図である。
【図１２】第一の発光体の他の例を示す回路図である。
【符号の説明】
【００５１】
１        イルミネーション付きスピーカ
２        センターポール
３        下部プレート
４        マグネット
５        上部プレート
６        磁気回路
７        フレーム
８        ボイスコイルボビン
９        ダンパー
１０        振動板
１１        照明部
１２        レンズ
１３        第一の発光体
Ａ          第一の発光体の反射面
１４        第二の発光体
Ｂ          第二の発光体の反射面
１５        レンズの空洞部
１６，１７  反射面に形成された突条
１８        センターポールの貫通孔
１９        キャップ
２０，３０  基板
２１，３１  発光ダイオード
２２，２３  リード線
４０        点灯回路
【図１】
2006148503.tif 000003
【図２】
2006148503.tif 000004
【図３】
2006148503.tif 000005
【図４】
2006148503.tif 000006
【図５】
2006148503.tif 000007
【図６】
2006148503.tif 000008
【図７】
2006148503.tif 000009
【図８】
2006148503.tif 000010
【図９】
2006148503.tif 000011
【図１０】
2006148503.tif 000012
【図１１】
2006148503.tif 000013
【図１２】
2006148503.tif 000014